(57)【特許請求の範囲】
【請求項１】
上部に吸込口が形成され、前面部下側に吹出口が形成された筐体と、
該筐体内における前記吸込口の下流側に設けられた少なくとも１つのプロペラファンと、
前記筐体内における前記プロペラファンの下流側に設けられ、前記プロペラファンによって前記筐体内へ吸い込まれた空気と冷媒とを熱交換させる熱交換器と、
前記熱交換器の下方に設けられ、該熱交換器に付着した露を回収するドレンパンと、
を備えた空気調和機の室内機において、
前記熱交換器は、折曲部を有する複数の伝熱管と、所定の間隔を介して積層配置され、前記伝熱管の直線部が挿入された複数の伝熱フィンと、を有し、
前記熱交換器の左右側端部には、前記熱交換器を保持した状態で前記筐体に取り付けられ、風路の側壁の一部を構成する第１側板及び第２側板を有し、
前記熱交換器の前記折曲部側の端部に設けられた側板である前記第１側板は、前記折曲部が挿入された伝熱管保持穴、及び該伝熱管保持穴に挿入された前記折曲部を係止する係止爪を備え、
前記第１側板における前記折曲部が突出した側には、前記折曲部及び前記伝熱管保持穴を覆い、少なくとも上縁部及び側縁部が前記第１側板に密着した隙間塞ぎ部品が設けられており、
前記熱交換器の前側下端部と前記ドレンパンとの間を密閉するシールと、
前記第１側板及び前記第２側板の前面側において、前記シールと前記プロペラファンの吹出口との間を密閉する正面パネルと、
を備えたことを特徴とする空気調和機の室内機。
【請求項２】
前記隙間塞ぎ部品は、その下縁部と前記第１側板との間に所定の間隙が形成されていることを特徴とする請求項１に記載の空気調和機の室内機。
【請求項３】
前記隙間塞ぎ部品は、その下縁部も前記第１側板に密着していることを特徴とする請求項１に記載の空気調和機の室内機。
【請求項４】
前記隙間塞ぎ部品の下端部が前記ドレンパンに挿入されていることを特徴とする請求項１〜請求項３のいずれか一項に記載の空気調和機の室内機。
【請求項５】
前記隙間塞ぎ部品と前記第１側板との密着部分にシール部材が配設されていることを特徴とする請求項１〜請求項４のいずれか一項に記載の空気調和機の室内機。
【発明の詳細な説明】
【技術分野】
【０００１】
本発明は、空気調和機の室内機に関するものである。
【背景技術】
【０００２】
従来より、熱交換器の下流側にクロスフローファンを備えた空気調和機の室内機が提案されている。このような熱交換器の下流側にクロスフローファンを備えた空気調和機の室内機は、例えば図１１に示すような構成となっている。
【０００３】
図１１は、熱交換器の下流側にクロスフローファンを備えた従来の空気調和機の室内機を示す側面側断面図である。なお、この図は、室内の側壁に据え付けられる室内機１０１を示している。図１１に示すように、この室内機１０１は、上部に吸込口１５が形成され、前面部下側に吹出口１６が形成された筐体２０を備えている。そして、筐体２０の内部には、複数のブレードを有するクロスフローファン５０、及び、該クロスフローファン５０の上流側を取り囲むように配置された熱交換器１４が収容されている。この熱交換器１４は、折曲部を有する複数の伝熱管１３、及び、所定の間隔を介して積層配置され、伝熱管１３の直線部が挿入された複数の伝熱フィンを備えている。また、吸込口１５と熱交換器１４との間には、集塵や空気清浄を行う機器１８やフィルタ１７が必要に応じて配置されている。
このように構成された室内機１０１は、クロスフローファン５０が駆動されると、筐体２０の上部に形成された吸込口１５から室内の空気を吸込む。吸込口１５から筐体２０内に流入したこの空気は、フィルタ１７等を通り、熱交換器１４に流入する。そして、熱交換器１４に流入した空気は、伝熱管１３及び伝熱フィンを介して伝熱管１３内を流れる作動媒体と熱交換した後、クロスフローファン５０により吹出口１６から室内に排出される。
このような熱交換器の下流側にクロスフローファンを備えた従来の空気調和機の室内機としては、例えば特許文献１に記載の室内機がある。
【０００４】
また、従来の空気調和機の室内機には、熱交換器の上流側にプロペラファン（軸流ファン）を備えた室内機も提案されている。このような熱交換器の上流側にプロペラファンを備えた従来の空気調和機の室内機は、例えば図１２に示すような構成となっている。
【０００５】
図１２は、熱交換器の上流側にプロペラファンを備えた従来の空気調和機の室内機を示す側面側断面図である。図１２に示すように、この室内機１０１は、上部に吸込口１５が形成され、前面部下側に吹出口１６が形成された筐体２０を備えている。そして、筐体２０の内部には、吸込口１５の下流側に設けられたプロペラファン３０、及び、プロペラファン３０の下流側に設けられた熱交換器１４が収容されている。この熱交換器１４も、折曲部を有する複数の伝熱管１３、及び、所定の間隔を介して積層配置され、伝熱管１３の直線部が挿入された複数の伝熱フィンを備えている。また、吸込口１５とプロペラファン３０との間には、フィルタ１７等が必要に応じて配置されている。
このように構成された室内機１０２は、プロペラファン３０が駆動されると、筐体２０の上部に形成された吸込口１５から室内の空気を吸込む。吸込口１５から流入したこの空気は、フィルタ１７を通り、プロペラファン３０に流入する。この空気は、プロペラファン３０によって熱交換器１４側へ送られ、熱交換器１４に流入する。そして、熱交換器１４に流入した空気は、伝熱管１３及び伝熱フィンを介して伝熱管１３内を流れる作動媒体と熱交換した後、吹出口１６から室内に排出される。
このような熱交換器の上流側にプロペラファンを備えた従来の空気調和機の室内機としては、例えば特許文献２に記載の室内機がある。
【先行技術文献】
【特許文献】
【０００６】
【特許文献１】特開２００６−２１４６７０号公報
【特許文献２】ＷＯ２０１０／０８９９２０号公報
【発明の概要】
【発明が解決しようとする課題】
【０００７】
一般的に、熱交換器１４における伝熱管１３の折曲部が配置された側の端部には、側板が設けられている。この側板は、熱交換器１４を支持した状態で筐体２０に取り付けられ、風路の側壁の一部を構成するものである。この側板は、伝熱管１３の折曲部が挿入される伝熱管保持穴、及び、該伝熱管保持穴に挿入された伝熱管１３の折曲部を係止する係止爪を備えている。つまり、この側板は、伝熱管保持穴に挿入された伝熱管の折曲部を係止爪で係止することにより、熱交換器１４を保持する構成となっている。このため、側板の伝熱管保持穴と該伝熱管保持穴に挿入される伝熱管１３との間には、隙間が形成されることとなる。
【０００８】
ここで、熱交換器の下流側にクロスフローファンを備えた従来の室内機においては、上述のように、熱交換器１４を通過する空気は、クロスフローファン５０によって吸引される空気となる。このため、室内機が運転されると、側板の伝熱管保持穴と伝熱管１３との間の隙間には風路の外部から風路内に向かって空気が流れ、当該空気は熱交換器１４を通った後に吹出口１６から流出することとなる。したがって、熱交換器の下流側にクロスフローファンを備えた従来の室内機においては、側板の伝熱管保持穴と伝熱管１３との間の隙間を流れる空気に関して、特に留意する必要がなかった。
【０００９】
一方、熱交換器の上流側にプロペラファンを備えた従来の空気調和機の室内機においては、上述のように、熱交換器１４を通過する空気は、プロペラファン３０から吹き出された空気となる。つまり、プロペラファン３０によって熱交換器１４へ空気を押し込む構成（熱交換器１４の下流側から空気を吸引しない構成）となっている。このため、熱交換器１４を通過した空気の一部が、側板の伝熱管保持穴と伝熱管１３との間の隙間から風路外へ漏れ出てしまうことが懸念される。このため、熱交換器の上流側にプロペラファンを備えた従来の空気調和機の室内機においては、側板の伝熱管保持穴と伝熱管１３との間の隙間から熱交換後の空気が風路外へ漏れ出すことにより、室内機の空調性能が低下してしまうという課題があった。また、室内機が冷房運転する際には、側板の伝熱管保持穴と伝熱管１３との間の隙間から熱交換後の冷たい空気が風路外へ漏れ出すこととなる。このため、熱交換器の上流側にプロペラファンを備えた従来の空気調和機の室内機においては、風路外に漏れ出たこの冷たい空気が筐体（例えば筐体の側面部）を冷却することにより、筐体の外面部が結露してしまうという課題もあった。
【００１０】
本発明は、上記のような課題を解決するためになされたものであり、熱交換器の上流側にプロペラファンを備えた空気調和機の室内機において、側板の伝熱管保持穴と伝熱管との間の隙間からの空気漏れに起因する空調能力の低下及び筐体外面部への結露を改善できる空気調和機の室内機を得ることを目的とする。
【課題を解決するための手段】
【００１１】
本発明に係る空気調和機の室内機は、上部に吸込口が形成され、前面部下側に吹出口が形成された筐体と、該筐体内における前記吸込口の下流側に設けられた少なくとも１つのプロペラファンと、前記筐体内における前記プロペラファンの下流側に設けられ、前記プロペラファンによって前記筐体内へ吸い込まれた空気と冷媒とを熱交換させる熱交換器と、前記熱交換器の下方に設けられ、該熱交換器に付着した露を回収するドレンパンと、を備えた空気調和機の室内機において、前記熱交換器は、折曲部を有する複数の伝熱管と、所定の間隔を介して積層配置され、前記伝熱管の直線部が挿入された複数の伝熱フィンと、を有し、前記熱交換器の左右側端部には、前記熱交換器を保持した状態で前記筐体に取り付けられ、風路の側壁の一部を構成する第１側板及び第２側板を有し、前記熱交換器の前記折曲部側の端部に設けられた側板である前記第１側板は、前記折曲部が挿入された伝熱管保持穴、及び該伝熱管保持穴に挿入された前記折曲部を係止する係止爪を備え、前記第１側板における前記折曲部が突出した側には、前記折曲部及び前記伝熱管保持穴を覆い、少なくとも上縁部及び側縁部が前記第１側板に密着した隙間塞ぎ部品が設けられており、前記熱交換器の前側下端部と前記ドレンパンとの間を密閉するシールと、前記第１側板及び前記第２側板の前面側において、前記シールと前記プロペラファンの吹出口との間を密閉する正面パネルと、を備えたものである。
【発明の効果】
【００１２】
本発明に係る空気調和機の室内機は、第１側板における伝熱管の折曲部が突出した側の端部には、折曲部及び伝熱管保持穴を覆い、少なくとも上縁部及び側縁部が側板に密着した隙間塞ぎ部品が設けられている。このため、第１側板の伝熱管保持穴と伝熱管との間の隙間から熱交換後の空気が風路外へ漏れ出すことを防止できる。したがって、本発明に係る空気調和機の室内機は、第１側板の伝熱管保持穴と伝熱管との間の隙間からの空気漏れに起因する空調能力の低下及び筐体外面部への結露を改善できる。
【００１３】
なお、特許文献１に記載の室内機は、熱交換器１４における伝熱管１３の折曲部が配置された側の端部をカバー部材で覆う構成となっている。しかしながら、特許文献１に記載の室内機は、熱交換器の下流側にクロスフローファンを備えた室内機である。このため、特許文献１に記載の室内機においては、側板の伝熱管保持穴と伝熱管との間の隙間を流れる空気の向きは風路の外部から風路内に向かう方向であり、冷房運転時に結露が発生する箇所は側板となる。したがって、特許文献１に記載の室内機は、本願発明の課題（側板の伝熱管保持穴と伝熱管との間の隙間からの空気漏れに起因する空調能力の低下及び筐体外面部への結露を改善すること）を考慮したものではなく、側板とカバー部材との間の気密性について何ら考慮していない。つまり、特許文献１に記載の室内機の側板に取り付けられたカバー部材は、本発明に係る隙間塞ぎ部品とは全く異なるものであることを付言しておく。
【図面の簡単な説明】
【００１４】
【図１】本発明の実施の形態に係る空気調和機の室内機を正面側から示す分解斜視図である。
【図２】本発明の実施の形態に係る空気調和機の室内機を示す側面断面図である。
【図３】本発明の実施の形態に係る空気調和機の室内機のドレンパンユニットを示す説明図である。
【図４】本発明の実施の形態に係る空気調和機の室内機の熱交換器ユニットを正面側から示す斜視図である。
【図５】本発明の実施の形態に係る空気調和機の室内機の熱交換器ユニットの左側端部近傍を示す斜視図である。
【図６】本発明の実施の形態に係る空気調和機の室内機の熱交換器ユニットの左側端部近傍を示す分解斜視図である。
【図７】図６で示す側板の斜視図である。
【図８】本発明の実施の形態に係る空気調和機の室内機の熱交換器ユニットの左側端部近傍を伝熱管の折り曲げ方向と垂直に切断した断面図である。
【図９】本発明の実施の形態に係る空気調和機の室内機の熱交換器ユニットの左側端部近傍を示す縦断面図である。
【図１０】本発明の実施の形態に係る空気調和機の室内機の熱交換器ユニットの隙間塞ぎ部品が取り外された状態を示す左側面図である。
【図１１】熱交換器の下流側にクロスフローファンを備えた従来の空気調和機の室内機を示す側面側断面図である。
【図１２】熱交換器の上流側にプロペラファンを備えた従来の空気調和機の室内機を示す側面側断面図である。
【発明を実施するための形態】
【００１５】
実施の形態．
以下、図面を用いながら、本実施の形態に係る空気調和機の室内機について説明する。なお、従来の室内機の構成要素と同一の機能を果たす構成要素については、同一の符号を用いて述べることとする。
【００１６】
図１は、本発明の実施の形態に係る空気調和機の室内機を正面側から示す分解斜視図である。図２は、この空気調和機の室内機を示す側面断面図である。また、図３は、この空気調和機の室内機のドレンパンユニットを示す説明図である。なお、図３では、（ａ）にドレンパンユニット６の斜視図を示し、（ｂ）にドレンパンユニット６の正面図を示し、（ｃ）に（ｂ）のＺ−Ｚ断面図を示している。
【００１７】
本実施の形態に係る室内機１００は、基台７、熱交換器ユニット５、プロペラファンユニット３、ドレンパンユニット６、風向ユニット２、電気品箱４及び意匠パネル１等が組み立てられて構成されている。基台７は、意匠パネル１と共に室内機１００の外郭を構成するものであり、筐体２０の背面部、側面部の後方及び底面部の後方となるものである。この基台７には、熱交換器ユニット５、ドレンパンユニット６、電気品箱４及び意匠パネル１が取り付けられる。なお、本実施の形態では、基台７及び意匠パネル１で筐体２０を構成したが、これはあくまでも筐体２０の一例である。
【００１８】
熱交換器ユニット５は、側面視略Λ型の熱交換器１４及び該熱交換器１４の左右側端部に取り付けられた側板８，９等で構成されており、側板８，９を介して基台７に取り付けられるものである。熱交換器ユニット５が基台７に取り付けられた状態においては、側板８，９は、基台７と共に熱交換器１４を囲む構成となっており、風路の側壁としても機能する。なお、熱交換器１４の側面視形状はあくまでも一例であり、任意の形状のものを採用することができる。また、熱交換器ユニット５の詳細は、後述する。
【００１９】
プロペラファンユニット３は、左右方向に並んで配置された複数のプロペラファン３０、及び、これらプロペラファン３０が取り付けられるプロペラファン取付部品３１で構成される。詳しくは、プロペラファン取付部品３１には、プロペラファン３０の数に対応した数のベルマウスが形成されており、プロペラファン３０はベルマウス内に配置されている。プロペラファンユニット３のプロペラファン取付部品３１が基台７や熱交換器ユニット５に取り付けられた状態においては、プロペラファン３０は、熱交換器１４の上方であって後述する吸込口１５の下方に配置される（図２参照）。換言すると、筐体２０内における空気の流れ方向に沿って見た場合、プロペラファン３０は、熱交換器１４の上流側であって吸込口１５の下流側に配置される。なお、プロペラファン３０の数はあくまでも一例であり、プロペラファン３０の数は、室内機１００が要求される風量に基づいて適宜決定すればよい。つまり、プロペラファン３０の数は、２つ以下であってもよいし、４つ以上であってもよい。
【００２０】
ドレンパンユニット６は、基台７に取り付けられた際、熱交換器１４の下端部の下方に配置されるものである。このドレンパンユニット６は、室内機１００の冷房運転時に熱交換器１４へ付着した露を回収するものであり、図２及び図３に示す構成となっている。つまり、ドレンパンユニット６は、熱交換器１４の前方下端部の下方に配置された前側ドレンパン６ａと、熱交換器１４の後方下端部の下方に配置された後側ドレンパン６ｂとを備えている。これら前側ドレンパン６ａ及び後側ドレンパン６ｂは、左右の両端が連絡路６ｃで接続されている。これら連絡路６ｃは、前側ドレンパン６ａと後側ドレンパン６ｂとの間が最も低い箇所となっている。そして、当該最も低い箇所には、排水パイプ（図示せず）が接続される接続口６ｄが突設されている。これにより、熱交換器１４へ付着した露は前側ドレンパン６ａ及び後側ドレンパン６ｂによって回収され、この回収された露は、連絡路６ｃ、接続口６ｄ及び排水パイプを介して、筐体２０の外部へ排出される構成となっている。
【００２１】
意匠パネル１は、筐体２０の前面部、側面部の前方、上面部及び底面部の前方を構成するものである。この意匠パネル１の上面部には、吸込口１５が形成されている。上述のように筐体２０内には３つのプロペラファン３０が並設されるため、意匠パネル１の上面部にも、これらプロペラファン３０と対応する位置に３つの吸込口１５が並んで形成されている。各吸込口１５は例えば略四角形状となっており、内部には桟が形成されている。この意匠パネル１は、基台７や熱交換器ユニット５の側板８，９等に取り付けられる。意匠パネル１が基台７等に取り付けられた際、例えば意匠パネル１の前面部下端と基台７との間が吹出口１６となる。
【００２２】
なお、図２からわかるように、本実施の形態に係る室内機１００は、熱交換器１４の上流側にプロペラファン３０を備えた構成となっている。このため、プロペラファン３０から風路（つまり、側板８，９及び基台７で囲まれた空間）に吹き出された空気の一部が、熱交換器１４を通過せず、意匠パネル１の周縁部の隙間から筐体２０外へ漏れ出すことが懸念される。このため、本実施の形態では、熱交換器１４の前側下端部と前側ドレンパン６ａとの間をシール１４ａで密閉している。そして、側板８，９の前面側において、当該シール１４ａとプロペラファン３０の吹出口との間（本実施の形態では、シール１４ａとプロペラファン取付部品３１との間）を正面パネル１９で密閉している。これにより、プロペラファン３０から吹き出された空気が意匠パネル１の周縁部の隙間から筐体２０外へ漏れ出すこと、つまり、プロペラファン３０から吹き出された空気が風路外へ漏れ出すことを防止し、室内機１００の空調能力の低下を防止している。なお、本実施の形態では、プロペラファン３０から吹き出された空気が熱交換器１４の後方へ流れた際、当該空気が熱交換器１４を通らずに吹出口１６へ流れることを防止するため、熱交換器１４の後側下端部と後側ドレンパン６ｂとの間もシール１４ｂで密閉している。
【００２３】
風向ユニット２は、吹出口１６に設けられ、吹出口１６から吹き出される空気の方向を調整するものである。この風向ユニット２は、例えば基台７やドレンパンユニット６に取り付けられる。
電気品箱４は、プロペラファン３０の回転数や風向ユニット２のフラップの向き等を制御する制御基板等が収容されたものである。この電気品箱４は、基台７に取り付けられ、熱交換器ユニット５（より詳しくは、側板８）と対向するように配置される。
【００２４】
また、本実施の形態に係る室内機１００には、プロペラファン３０と熱交換器１４との間の風路に集塵や空気清浄を行う機器１８が設けられている。この機器１８は、例えば、電極間に電圧を印加し、これら電極間において集塵や空気清浄を行うものである。機器１８は、正面パネル１９に設けられたスライド機構等によって摺動自在に設けられ、正面パネル１９の取出口１９ａから取り出し自在となっている。また、取出口１９ａは、開閉自在な扉によって閉塞されている。なお、機器１８の取り付け及び取り外しを行う際には、開閉自在に構成された意匠パネル１の開閉パネル１ａを開き、続いて取出口１９ａの扉を開くことにより行うことができる。
【００２５】
（熱交換器ユニットの詳細構成）
続いて、本実施の形態に係る熱交換器ユニット５の詳細について、説明する。
【００２６】
図４は、本発明の実施の形態に係る空気調和機の室内機の熱交換器ユニットを正面側から示す斜視図である。図５は、この熱交換器ユニットの左側端部近傍を示す斜視図である。図６は、この熱交換器ユニットの左側端部近傍を示す分解斜視図である。図７は、図６で示す側板の斜視図である。図８は、この熱交換器ユニットの左側端部近傍を伝熱管の折り曲げ方向と垂直に切断した断面図である。図９は、この熱交換器ユニットの左側端部近傍を示す縦断面図である。また、図１０は、この熱交換器ユニットの隙間塞ぎ部品が取り外された状態を示す左側面図である。なお、図９及び図１０には、ドレンパンユニット６も示している。
【００２７】
上述のように、熱交換器ユニット５は、側面視略Λ型の熱交換器１４、及び該熱交換器１４の左右側端部に取り付けられた側板８，９等で構成されている。熱交換器１４は、フィンチューブ型熱交換器であり、複数の伝熱管１３と、複数の伝熱フィンとで構成されている。伝熱管１３は、折曲部１３ａで例えば略Ｕ字状に折り曲げ形成されたものである。伝熱フィンは、所定の間隔を介して積層されており、伝熱管１３の直線部分が挿入されている。本実施の形態においては、伝熱管１３の折曲部１３ａは熱交換器１４の左側端部に配置されている。また、伝熱管１３の端部は、熱交換器１４の右側端部に配置され、伝熱管継手１１に溶接接続されている。
【００２８】
側板９は、熱交換器１４の左側端部、つまり、伝熱管１３の折曲部１３ａが配置された側の端部に取り付けられている。この側板９は、例えば樹脂成形部品である。そして、側板９には、伝熱管１３の折曲部１３ａと対応する位置に、伝熱管１３の折曲部１３ａが挿入される伝熱管保持穴９ｃが形成されている。なお、本実施の形態に係る側板９には、１つの折曲部１３ａが挿入される側面視略長穴形状の伝熱管保持穴９ｃと、２つの折曲部１３ａが挿入される側面視略平行四辺形状の伝熱管保持穴９ｃとが形成されている。これら伝熱管保持穴９ｃの外周部には側壁が延設され、当該側壁には伝熱管１３の折曲部１３ａを係止する係止爪９ｄが形成されている。つまり、側板９は、伝熱管保持穴９ｃに挿入された伝熱管１３の折曲部１３ａを係止爪９ｄで係止することにより、熱交換器１４の左側端部に取り付けられる。
また、側板９には、後述の隙間塞ぎ部品１０を取り付けるためのネジ固定部９ａ，９ｂが形成されている。なお、側板９には、プロペラファンユニット３等を取り付けるためのネジ固定部も形成されている。
【００２９】
この側板９には、伝熱管１３の折曲部１３ａが突出した側に、隙間塞ぎ部品１０が設けられている。この隙間塞ぎ部品１０は、側板９側が開口した箱型形状となっている。換言すると、この隙間塞ぎ部品１０は、板部材の側縁部から側壁が側板９側に延設された形状となっている。なお、本実施の形態では、隙間塞ぎ部品１０を、熱交換器１４の前側部分に配置された伝熱管１３の折曲部１３ａを覆うもの（以下、前側隙間塞ぎ部品と称する）と、熱交換器１４の後側部分に配置された伝熱管１３の折曲部１３ａを覆うもの（以下、後側隙間塞ぎ部品と称する）と、に分割して形成している。前側隙間塞ぎ部品は、当該前側隙間塞ぎ部品に形成された貫通穴１０ｂにネジ１２を挿入し、当該ネジ１２を側板９のネジ固定部９ｂに固定することにより、側板９に取り付けられる。後側隙間塞ぎ部品は、当該後側隙間塞ぎ部品に形成された貫通穴１０ａにネジ１２を挿入し、当該ネジ１２を側板９のネジ固定部９ａに固定することにより、側板９に取り付けられる。
なお、本実施の形態では隙間塞ぎ部品１０を２つに分割して形成したが、これらを一体形成しても勿論よい。また、隙間塞ぎ部品１０の側板９への取り付け方法はネジ止めに限定されるものではない。例えば、隙間塞ぎ部品１０及び側板９の一方に係合用の凹部を形成し、隙間塞ぎ部品１０及び側板９の他方に係合用の爪部を形成し、これら凹部及び爪部を係合して隙間塞ぎ部品１０を側板９に取り付けてもよい。
【００３０】
隙間塞ぎ部品１０が側板９に取り付けられた状態においては、隙間塞ぎ部品１０は、伝熱管１３の折曲部１３ａ及び側板９の伝熱管保持穴９ｃを覆うように配置される。そして、隙間塞ぎ部品１０の上縁部及び側縁部は、側板９と密着した状態となっている。
また、隙間塞ぎ部品１０が側板９に取り付けられた状態においては、隙間塞ぎ部品１０の下端部が、ドレンパンユニット６の連絡路６ｃに挿入されている。
【００３１】
なお、本実施の形態では、隙間塞ぎ部品１０が側板９に取り付けられた状態において、隙間塞ぎ部品１０の下縁部１０ｄと側板９との間に隙間１０ｅが形成されている。また、隙間塞ぎ部品１０の下縁部１０ｄは、側板９の突片９ｅの上方に配置されている。つまり本実施の形態では、隙間塞ぎ部品１０と側板９との間で発生した露は、隙間１０ｅを通って突片９ｅの上面を流れ、ドレンパンユニット６に回収される構成となっている。
【００３２】
側板８は、熱交換器１４の右側端部、つまり、伝熱管継手１１が配置された側の端部に取り付けられている。この側板８は、金属製であり、伝熱管１３に溶接接合されている。
【００３３】
（動作説明）
続いて、上述のように構成された室内機１００の動作について説明する。
プロペラファン３０が駆動されると、筐体２０（より詳しくは意匠パネル１）の上部に形成された吸込口１５から室内の空気を吸込む。吸込口１５から筐体２０内に流入したこの空気は、フィルタ１７を通り、プロペラファン３０に流入する。この空気は、プロペラファン３０によって風路（基台７、側板８，９及び正面パネル１９で囲まれた空間）内に吹き出される。風路内に吹き出されたこの空気は、機器１８で集塵や空気清浄が行われた後、熱交換器１４に流入する。そして、熱交換器１４に流入した空気は、伝熱管１３及び伝熱フィンを介して伝熱管１３内を流れる作動媒体と熱交換した後、空調空気として吹出口１６から室内に排出される。
【００３４】
このとき、室内機１００は、プロペラファン３０によって熱交換器１４へ空気を押し込む構成となっている。つまり、熱交換器１４の下流側から空気を吸引しない構成となっている。このため、空調空気（熱交換器１４で熱交換した後の空気）の一部は、側板９の伝熱管保持穴９ｃから風路外へ漏れ出ることが懸念される。このように空調空気の一部が側板９の伝熱管保持穴９ｃから風路外へ漏れ出ると、室内機１００の空調能力が低下してしまう。また、室内機１００が冷房運転中の場合、側板９の伝熱管保持穴９ｃから風路外へ漏れ出た空調空気は室内温度よりも冷たい空気なので、筐体２０の側面（より詳しくは、意匠パネルの側面）等が冷却され、筐体２０の外面部が結露してしまう。
【００３５】
しかしながら、本実施の形態に係る室内機１００は、側板９に、伝熱管１３の折曲部１３ａ及び側板９の伝熱管保持穴９ｃを覆う隙間塞ぎ部品１０が設けられている。このため、側板９の伝熱管保持穴９ｃから風路外へ漏れ出た空調空気は隙間塞ぎ部品１０と側板９の間に留められ、空調空気が風路外へ漏れ出ることを防止できる。このため、室内機１００の空調能力の低下を防止できる。また、室内機１００が冷房運転中の場合、冷たい空調空気が筐体２０を冷却することを防止できるので、筐体２０の外面部に結露が発生することも防止できる。
【００３６】
なお、室内機１００が冷房運転中の場合、隙間塞ぎ部品１０と側板９の間の空調空気と、隙間塞ぎ部品１０の外周部に存在する空調空気よりも温度の高い空気とが、隙間塞ぎ部品１０を介して熱交換することとなる。このため、通常、温度が高い側の空気に面する隙間塞ぎ部品１０の外面部が結露面１０ｃとなる（図９参照）。隙間塞ぎ部品１０の外面部に付着した露は、当該外面部を滑り落ちた後、ドレンパンユニット６に回収される。
【００３７】
以上、本実施の形態のように構成された空気調和機の室内機１００においては、伝熱管１３の折曲部１３ａ及び側板９の伝熱管保持穴９ｃを覆う隙間塞ぎ部品１０が設けられているので、側板９の伝熱管保持穴９ｃから風路外へ空調空気が漏れ出ることを抑制できる。このため、室内機１００の空調能力の低下を防止できる。また、室内機１００が冷房運転中の場合、冷たい空調空気が筐体２０を冷却することを防止できるので、筐体２０の外面部に結露が発生することも防止できる。
【００３８】
なお、本実施の形態では、隙間塞ぎ部品１０の下縁部１０ｄと側板９との間に隙間１０ｅを形成した。しかしながら、上述のように、隙間塞ぎ部品１０の結露面１０ｃは、通常、隙間塞ぎ部品１０の外面部となる。このため、隙間塞ぎ部品１０の下縁部１０ｄと側板９とを密着させた構成にしても勿論よい。隙間塞ぎ部品１０の下縁部１０ｄと側板９とを密着させることにより、側板９の伝熱管保持穴９ｃから風路外へ空調空気が漏れ出ることをより抑制することができる。
【００３９】
また、隙間塞ぎ部品１０と側板９との密着部分にシール部材を配設してもよい。シール部材を配設することにより、隙間塞ぎ部品１０と側板９との密着部分のシール性（気密性）を向上させることができ、側板９の伝熱管保持穴９ｃから風路外へ空調空気が漏れ出ることをさらに抑制することができる。
【符号の説明】
【００４０】
１  意匠パネル、１ａ  開閉パネル、２  風向ユニット、３  プロペラファンユニット、４  電気品箱、５  熱交換器ユニット、６  ドレンパンユニット、６ａ  前側ドレンパン、６ｂ  後側ドレンパン、６ｃ  連絡路、６ｄ  接続口、７  基台、８  側板、９  側板、９ａ  ネジ固定部、９ｂ  ネジ固定部、９ｃ  伝熱管保持穴、９ｄ  係止爪、９ｅ  突片、１０  隙間塞ぎ部品、１０ａ  貫通穴、１０ｂ  貫通穴、１０ｃ  結露面、１０ｄ  下縁部、１０ｅ  隙間、１１  伝熱管継手、１２  ネジ、１３  伝熱管、１３ａ  折曲部、１４  熱交換器、１４ａ  シール、１４ｂ  シール、１５  吸込口、１６  吹出口、１７  フィルタ、１８  機器（集塵や空気清浄用）、１９  正面パネル、１９ａ  取出口、２０  筐体、３０  プロペラファン、３１  プロペラファン取付部品、５０  クロスフローファン、１００  室内機、１０１  室内機（従来）、１０２  室内機（従来）。
【図１】
0005871665.tif 000002
【図２】
0005871665.tif 000003
【図３】
0005871665.tif 000004
【図４】
0005871665.tif 000005
【図５】
0005871665.tif 000006
【図６】
0005871665.tif 000007
【図７】
0005871665.tif 000008
【図８】
0005871665.tif 000009
【図９】
0005871665.tif 000010
【図１０】
0005871665.tif 000011
【図１１】
0005871665.tif 000012
【図１２】
0005871665.tif 000013